(57)【要約】【課題】壁との間隔が調整可能となって壁への作業がしやすくなるとともに、壁への作業のためのアタッチメント着脱の手間をなくした梯子を提供する。【解決手段】梯子は、左右一対の側木４、複数の踏桟５および壁との間隔調整装置１１を備えている。壁との間隔調整装置１１は、側木４の上端に固定された固定金具３１と、これに回動可能に支持された可動金具３２と、可動金具３２に取り付けられて壁に当接する当接部材３３と、可動金具３２を使用状態および収納状態で固定するストッパ３５とを有している。【選択図】    図４
2004176502.tif 000002
【特許請求の範囲】
【請求項１】
左右一対の側木（４）、複数の踏桟（５）および壁との間隔調整装置（１１）を備えており、壁との間隔調整装置（１１）は、側木（４）の上端に固定された固定金具（３１）と、これに回動可能に支持された可動金具（３２）と、可動金具（３２）に取り付けられて壁に当接する当接部材（３３）と、可動金具（３２）を使用状態および収納状態で固定するストッパ（３５）とを有していることを特徴とする梯子。
【請求項２】
固定金具（３１）は、中空状側木（４）内に嵌め入れられて固定される角筒部（３１ａ）と、角筒部（３１ａ）の上方に設けられた左右立上り壁（３１ｂ）とからなり、左右立上り壁（３１ｂ）は、その中央部分を貫通する軸挿通孔（３６）と、その周縁に設けられた収納時ストッパ係合用切り欠き（３７）と、これと略９０°離れた位置にある使用時ストッパ係合用切り欠き（３８）とを有しており、可動金具（３２）は、固定金具（３１）の軸挿通孔（３６）に対応する軸挿通孔（３９）を有し固定金具（３１）の対向壁（３１ｂ）間に回動可能に収められる幅広部（３２ａ）と、逆Ｕ字状に形成されて当接部材（３３）に設けられた凹所（３３ａ）内に嵌め入れられた幅狭部（３２ｂ）とからなり、幅狭部（３２ｂ）の前後壁間に、ストッパ支持用のピン（４０）が渡し止められるとともに、幅広部（３２ｂ）の軸挿通孔（３９）よりも上の部分に、ストッパ収納孔（４１）が設けられており、ストッパ（３５）は、その上端部がストッパ支持ピン（４０）に回動可能に支持されるとともに、ストッパ支持ピン（４０）に巻き掛けられたねじりコイルばね（４７）によって、ストッパ収納孔（４１）から出ていく方向に付勢されており、ストッパ（３５）の下端部（３５ｂ）が固定金具（３１）の切り欠き（３７）（３８）の縁部に当たることによって、ねじりコイルばね（４７）の付勢力が受け止められ、ストッパ（３５）の中間部分を押すことによって、ストッパ（３５）と固定金具（３１）のストッパ係合用切り欠き（３７）（３８）縁部との係合が解除されるようになされている請求項１の梯子。
【発明の詳細な説明】
【０００１】
【発明の属する技術分野】
この発明は、梯子に関し、特に、壁に立て掛けて使用する際の利便性を向上させた梯子に関する。
【０００２】
【従来の技術】
左右一対の側木および複数の踏桟からなる梯子は、建物に立て掛けて種々の用途に使用されている。梯子を壁に立て掛ける際には、側木の上端が壁に当接することになるが、この状態では、梯子の上部での壁への作業（壁紙貼り、塗装等）が壁に近づきすぎてやりにくいという問題があった。
【０００３】
そこで、壁との間に所定の間隔を設けるアタッチメント（梯子固定用治具）を必要に応じて着脱し壁への作業性を向上させることが提案されている（例えば特許文献１）。
【０００４】
【特許文献１】
実開平５−８９７９９号公報
【０００５】
【発明が解決しようとする課題】
上記従来の梯子では、アタッチメントを取り付けたままでの梯子の移動や保管が難しいため、壁への作業を行うごとにアタッチメントの着脱が必要となり、そのための手間が掛かるという問題があった。
【０００６】
この発明の目的は、壁との間隔が調整可能となって壁への作業がしやすくなるとともに、壁への作業のためのアタッチメント着脱の手間をなくした梯子を提供することにある。
【０００７】
【課題を解決するための手段および発明の効果】
この発明による梯子は、左右一対の側木、複数の踏桟および壁との間隔調整装置を備えており、壁との間隔調整装置は、側木の上端に固定された固定金具と、これに回動可能に支持された可動金具と、可動金具に取り付けられて壁に当接する当接部材と、可動金具を使用状態および収納状態で固定するストッパとを有していることを特徴とするものである。
【０００８】
当接部材は、壁に傷を付けないように、また、滑りにくいように、ゴム、合成樹脂などの弾性を有する材料で形成される。
【０００９】
この発明の梯子によると、壁との間隔調整装置は、側木の上端に上方突出状に固定された固定金具と、これに回動可能に支持された可動金具と、可動金具に取り付けられて壁に当接する当接部材と、可動金具を使用状態および収納状態で固定するストッパとを有しているので、壁への作業時に壁との間に間隔がほしい場合には、可動金具を回動させて側木上端と壁との間に可動金具を位置させた状態で、ストッパにより可動金具の動きを阻止すればよい。そして、可動金具を回動させてこれを側木の延長上に位置させた状態で、ストッパにより可動金具の動きを阻止することにより、壁への作業時に壁との間に間隔が必要でない場合や運搬および保管に際しては、壁との間隔調整装置を有していない梯子と全く同じに取り扱うことができる。
【００１０】
この発明による梯子のより具体的な構成は、例えば、固定金具は、梯子の中空状側木内に嵌め入れられて固定される角筒部と、角筒部の上方に設けられた左右立上り壁とからなり、左右立上り壁は、その中央部分を貫通する軸挿通孔と、その周縁に設けられた収納時ストッパ係合用切り欠きと、これと略９０°離れた位置にある使用時ストッパ係合用切り欠きとを有しており、可動金具は、固定金具の軸挿通孔に対応する軸挿通孔を有し固定金具の対向壁間に回動可能に収められる幅広部と、逆Ｕ字状に形成されて当接部材に設けられた凹所内に嵌め入れられた幅狭部とからなり、幅狭部の前後壁間に、ストッパ支持用のピンが渡し止められるとともに、幅広部の軸挿通孔よりも上の部分に、ストッパ収納孔が設けられており、ストッパは、その上端部がストッパ支持ピンに回動可能に支持されるとともに、ストッパ支持ピンに巻き掛けられたねじりコイルばねによって、ストッパ収納孔から出ていく方向に付勢されており、ストッパの下端部が固定金具の切り欠きの縁部に当たることによって、ねじりコイルばねの付勢力が受け止められ、ストッパの中間部分を押すことによって、ストッパと固定金具のストッパ係合用切り欠き縁部との係合が解除されるようになされているものとされる。
【００１１】
【発明の実施の形態】
この発明の実施の形態を、以下図面を参照して説明する。この明細書において、前とは図１の右を、後とは同図の左をいい、左右は前方に向かっていうものとする。
【００１２】
この発明による梯子は、左右一対の側木（２）および複数の踏桟（３）からなる下梯子（１）と、左右一対の側木（５）および複数の踏桟（６）からなり下梯子（１）の後に摺動自在に連結された上梯子（４）と、両梯子（１）（４）に渡された上梯子昇降ロープ（７）と、下梯子（１）の上端部に設けられて昇降ロープ（７）が巻き掛けられている滑車（８）と、上梯子（４）の下端部に設けられて昇降ロープ（７）の端部を保持するロープ保持部材（９）と、使用状態で下梯子（１）に対する上梯子（４）の下方への移動を阻止するとともに、この状態から上梯子（４）を所定量以上上方へ移動させたときにその移動を許容する梯子ロック・アンロック装置（１０）と、上梯子（４）の上端部に回動自在に設けられ梯子を壁（Ｗ）に立て掛ける際に壁（Ｗ）と梯子との間隔を調整する壁との間隔調整装置（１１）とを備えている。
【００１３】
下梯子（１）の上端部には、上梯子（４）を案内するコの字状案内金具（１２）が固定されており、滑車（８）は、同金具（１２）の右側面に固定された滑車支持金具（１３）に支持されている。
【００１４】
梯子ロック・アンロック装置（１０）は、公知のものでその詳細は省略するが、上梯子（４）の各側木（５）の内側面所定位置に下向きに揺動自在に取り付けられるとともにばねにより下梯子（１）方向に付勢されて下梯子（１）の踏桟（３）に嵌合する係止爪（１０ａ）を備えており、上梯子（４）を伸長させて係止爪（１０ａ）が下梯子（１）の踏桟（３）を越えてすぐに伸長を停止すると、係止爪（１０ａ）がその踏桟（３）に係合し、上梯子（４）をさらに伸長させて係止爪（１０ａ）が下梯子（１）の踏桟（３）を所定量以上越えてから伸長を停止すると、係止爪（１０ａ）と踏桟（３）との係合が解除されて、収縮可能状態が得られる。
【００１５】
ロープ保持部材（９）は、アルミニウム押出形材製であり、その押出方向を上下方向に向けて上梯子（４）の側木（５）の下端部外側面に取り付けられている。図２に拡大して示すように、ロープ保持部材（９）には、上下方向にのびかつ昇降ロープ（７）の一端部が挿通される横断面が円形の後側ロープ挿通部（２１）と、上下方向にのびかつ昇降ロープ（７）の他端部が挿通される横断面が円形の前側ロープ挿通部（２２）と、後側ロープ挿通部（２１）と前側ロープ挿通部（２２）との中間にあって上下方向にのびかつボルト（１４）の頭部（１４ａ）を含む部分が摺動可能に嵌め入れられる横断面Ｔ字状のボルト頭嵌入部（２３）とが形成されている。各ロープ挿通部（２１）（２２）の径は、昇降ロープ（７）が遊びを有して挿通できる大きさとされている。
【００１６】
壁との間隔調整装置（１１）は、図３から図７までに示すように、上梯子（４）の側木（５）の上端に上方突出状に固定された固定金具（３１）と、これに回動可能に支持された可動金具（３２）と、可動金具（３２）に角筒状の補助金具（３４）を介して取り付けられた当接部材（３３）と、可動金具（３２）を使用状態および収納状態で固定するストッパ（３５）とを有している。そして、図１の実線および図３に示すように、可動金具（３２）を回動させてこれを側木（４）の延長上に位置させた状態で、ストッパ（３５）により可動金具（３２）の動きを阻止することにより、壁との間隔調整装置（１１）を有していない梯子と同様の作業が可能であり、壁への作業時に壁との間にもっと大きな間隔がほしい場合には、図１の鎖線および図４に示すように、可動金具（３２）を回動させて側木（４）上端と壁（Ｗ）との間に可動金具（３２）を位置させた状態で、ストッパ（３５）により可動金具（３２）の動きを阻止することにより、必要な間隔を得ることができる。そして、この作業が終了すれば、可動金具（３２）を回動させて、図１の実線および図３に示す状態に復帰させることにより、運搬および保管についても、壁との間隔調整装置（１１）を有していない梯子と全く同じに取り扱うことができる。
【００１７】
固定金具（３１）は、側木（４）上端部内に嵌め入れられてリベット止めされた角筒部（３１ａ）と、角筒部（３１ａ）の上方に設けられた左右立上り壁（３１ｂ）とからなり、左右立上り壁（３１ｂ）は、その中央部分を左右方向に貫通する軸挿通孔（３６）と、円弧状に形成された周縁の上端部に設けられた収納時ストッパ係合用切り欠き（３７）と、これから９０°前方位置に設けられた使用時ストッパ係合用切り欠き（３８）とを有している。
【００１８】
可動金具（３２）は、押出形材製であり、固定金具（３１）の軸挿通孔（３６）に対応する軸挿通孔（３９）を有し固定金具（３１）の左右立上り壁（３１ｂ）間に回動可能に収められる幅広部（３２ａ）と、逆Ｕ字状に形成されて角筒状補助金具（３４）内に嵌め入れられた幅狭部（３２ｂ）とからなる。幅狭部（３２ｂ）は、前後壁および頂壁からなり、その前後壁間には、ストッパ支持ピン（４０）が渡し止められている。幅広部（３２ａ）の軸挿通孔（３９）よりも上の部分には、断面縦長方形のストッパ収納孔（４１）が設けられている。
【００１９】
固定金具（３１）と可動金具（３２）とは、両金具（３１）（３２）の軸挿通孔（３６）（３９）に挿通されたリベット（４２）によって結合されている。固定金具（３１）の軸挿通孔（３６）は、リベット（４２）が緩く挿通される大きさとされ、可動金具（３２）の軸挿通孔（３９）は、リベット（４２）がきつく挿通される大きさとされており、リベット（４２）には、固定金具（３１）の右立上り壁（３１ｂ）と可動金具（３２）の幅広部（３２ａ）右面との間に位置させられる平座金（４３）が嵌められている。
【００２０】
当接部材（３３）は、合成樹脂製で、その外面には、滑り止め効果を上げるための凹凸が形成されている。当接部材（３３）には、補助金具（３４）全体を収める凹所（３３ａ）が設けられており、同凹所（３３ａ）内に嵌め入れられた補助金具（３４）は、当接部材（３３）および補助金具（３４）を貫通するボルト（４４）およびこれにねじ合わされたナット（４５）によって結合されている。
【００２１】
ストッパ（３５）は、縦長の板状に形成されており、その上端部には、ストッパ支持ピン（４０）が挿通されている前後方向貫通孔（４６）を有する突出部（３５ａ）が左右方向内方に突出するように設けられている。ストッパ（３５）は、ストッパ支持ピン（４０）に両端部が巻き掛けられ中央部がストッパ（３５）に内側から当てられているたねじりコイルばね（４７）によって、ストッパ収納孔（４１）から出ていく方向に付勢されており、その下端部（３５ｂ）が固定金具（３１）の切り欠き（３７）（３８）の縁部に内側から当たることによって、ねじりコイルばね（４７）の付勢力が受け止められている。ストッパ（３５）の上下の中間部の外面には、凹凸が形成された操作部（３５ｃ）が設けられており、この操作部（３５ｃ）を押すことによって、ストッパ（３５）と固定金具（３１）の切り欠き（３７）（３８）縁部との係合が解除される。
【００２２】
図５および図６に示す状態では、壁との間隔調整装置（１１）は、収納状態にあり、ストッパ（３５）の下部が固定金具（３１）の収納時ストッパ係合用切り欠き（３７）に嵌まり合っており、ストッパ（３５）が取り付けられている可動金具（３２）を固定金具（３１）に対して回動させることはできない。この状態で、ストッパ（３５）の操作部（３５ｃ）を押すと、ストッパ（３５）の下部は、収納時ストッパ係合用切り欠き（３７）から外れてストッパ（３５）と固定金具（３１）との係合が解除される。ストッパ（３５）の操作部（３５ｃ）を押したまま、当接部材（３３）を持ってこれを前方に押すと、当接部材（３３）、補助金具（３４）、可動金具（３２）およびストッパ（３５）は、一体となって前方に回動する。この際、ストッパ（３５）は、ねじりコイルばね（４７）に付勢されて固定金具（３１）の立上り壁（３１ｂ）の内面に押し付けられており、回動の妨げとなることはない。当接部材（３３）、補助金具（３４）、可動金具（３２）およびストッパ（３５）が９０°回動すると、ねじりコイルばね（４７）に付勢されたストッパ（３５）は、その下部が使用時ストッパ係合用切り欠き（３８）に嵌まり合うことになり、その下端部（３５ｂ）が同切り欠き（３８）の縁部に内側から当たったところで停止させられる。こうして、当接部材（３３）は、９０°回動した状態で固定され、この状態で、梯子を使用することにより、壁（Ｗ）との間隔を大きくすることができる。ストッパ（３５）を押して当接部材（３３）を回動させる操作は、非常に簡単なものであることから、使用状態（壁（Ｗ）との間隔が大）と収納状態（壁（Ｗ）との間隔が小さい使用状態を含む）との切換えを手間なく行うことができる。
【００２３】
なお、上記の実施形態では、二連梯子に壁との間隔調整装置（１１）を設けた例を示したが、壁との間隔調整装置は、もちろん、一連だけの梯子にも設けることができる。
【図面の簡単な説明】
【図１】この発明による梯子を示す側面図である。
【図２】ロープ支持部分の拡大斜視図である。
【図３】壁との間隔調整装置を示す拡大側面図である。
【図４】同じく壁との間隔調整装置を示す拡大側面図であり、その使用状態を示している。
【図５】壁との間隔調整装置を示す一部を切り欠いた側面図である。
【図６】図５のＶＩ−ＶＩ線に沿う断面図である。
【図７】壁との間隔調整装置の分解斜視図である。
【符号の説明】
（４）      側木
（３１）    固定金具
（３１ａ）    角筒部
（３１ｂ）    左右立上り壁
（３２）    可動金具
（３２ａ）    幅広部
（３２ｂ）    幅狭部
（３３）    当接部材
（３３ａ）    凹所
（３５）    ストッパ
（３５ｂ）    下端部
（３６）    軸挿通孔
（３７）    収納時ストッパ係合用切り欠き
（３８）    使用時ストッパ係合用切り欠き
（３９）    軸挿通孔
（４０）    ストッパ支持用のピン
（４１）    ストッパ収納孔
（４７）    ねじりコイルばね
【図１】
2004176502.tif 000003
【図２】
2004176502.tif 000004
【図３】
2004176502.tif 000005
【図４】
2004176502.tif 000006
【図５】
2004176502.tif 000007
【図６】
2004176502.tif 000008
【図７】
2004176502.tif 000009